(57)【要約】【課題】使用時は糸立て棒を傾斜させて糸駒から糸がばらけて弛むのを防止でき、不使用時には糸立て棒を垂直に切り換えて設置スペースの狭小化を図れるミシンの糸立て装置を提供する。【解決手段】支柱５と、支柱５に取り付けられ、複数本の糸立て棒６を垂直に立設した糸立て台板７と、糸立て台板７を水平姿勢と傾斜姿勢とに切換え可能な姿勢切換え機構８とを備える。【選択図】図４
2008295484.tif 000002
【特許請求の範囲】
【請求項１】
支柱と、支柱に取り付けられ、複数本の糸立て棒を垂直に立設した糸立て台板とを備えたミシンの糸立て装置において、前記糸立て台板を水平姿勢と傾斜姿勢とに切換え可能な姿勢切換え機構を備えていることを特徴とする、ミシンの糸立て装置。
【請求項２】
前記姿勢切換え機構は、前記糸立て台板を前記支柱に対し支軸回りに回動可能に支持した回動支持手段と、前記糸立て台板を所定の回動角度にロックおよびアンロック可能な固定・解除手段とを備えている、請求項１記載のミシンの糸立装置。
【請求項３】
前記回動支持手段は前記糸立て台板に取り付けられた前記支軸と、前記支柱に固定され前記支軸を回動可能に支持したブラケットとを備え、該ブラケットには水平姿勢保持用の第１ねじ孔及び傾斜姿勢保持用の第２ねじ孔を設けており、前記固定・解除手段は前記支軸に固定され水平姿勢保持用の第１セット孔及び傾斜姿勢保持用の第２セット孔を有する回転止め具と、互いに合致する前記第１ねじ孔と第１セット孔に、又は前記第２ねじ孔と第２セット孔に挿通して締め付けられるセットボルトとを備えている、請求項２記載のミシンの糸立装置。
【請求項４】
前記糸立て台板は透明な材料で形成されている、請求項１ないし３のいずれか１項に記載のミシンの糸立て装置。
【発明の詳細な説明】
【技術分野】
【０００１】
本発明は、ミシンの糸立て装置に係り、より詳しくは複数本の糸立て棒を垂直に立設した糸立て台板を水平姿勢と傾斜姿勢とに切換え可能にしたミシンの糸立て装置に関する。
【背景技術】
【０００２】
従来、ミシンの糸立て装置は、一般に、図８のようにミシン４０のテーブル４１の上に設置され、テーブル４１に立設された支柱４２に水平に固定された糸立て台板４３に糸立て棒４４が垂直に立設されているが（例えば、特許文献１参照）、垂直な糸立て棒４４に装着された糸駒４５から糸（図示せず）を引き出すときに糸駒４５から糸がばらけて弛みやすく、糸駒４５からずり落ちやすく、糸切れや目飛び不良等の問題を起こす。この現象は特に糸が太い糸、締め付けの弱い糸、ナイロン糸、ゴム糸などである場合に顕著である。
これに対し、図９、図１０のようにミシン４６の糸立て装置４７が糸立て棒４８を垂直に立設した糸立て台４９をテーブル５０上に支柱５１で傾斜姿勢に支持することにより糸立て棒４８を傾斜させておくと（例えば、特許文献２，３参照）、その傾斜した糸立て棒４８に装着した糸駒５２は斜めになるので、該糸駒５２から糸がばらけて弛んだり、ずり落ちたりするのを防止することができる。
【０００３】
【特許文献１】特開平１０−１２１３５３号公報
【特許文献２】実公平３−３３３３６号公報
【特許文献３】実開平７−９２７２号公報
【発明の開示】
【発明が解決しようとする課題】
【０００４】
しかしながら、図９、図１０のように糸立て棒４８を垂直に立設した糸立て台４９を傾斜姿勢に設置することにより糸立て棒４８を傾斜させておく糸立て装置４７では、糸立て台４９の糸道プレート５３を支持する糸道取付アーム５４がテーブル５０の端からはみ出し、そのはみ出し量Ｓ１（図１０参照）は、図８のように糸立て台板４３を水平に設置する場合における糸立て台板４３のテーブル４１端からのはみ出し量Ｓ２に比べて非常に大きいため、設置スペースが広大化し、また作業者の通行に邪魔になり危険性があるなどの問題があった。
また、図８のように糸立て棒４４を垂直に立設した糸立て台板４３を水平に設置した直立式の糸立て装置と、図９、図１０のように糸立て台４９を傾斜姿勢に設置した傾斜式の糸立て装置４７の二機種を製造するとなると、製造コスト高になる。
【０００５】
本発明は、このような問題を解決するためになされたもので、糸駒から糸がばらけて弛んだりずり、落ちたりするときは糸立て棒を傾斜させる仕様を採ることができ、糸立て装置の設置スペースを狭小化したいときは糸立て棒を垂直にする仕様に切り換えることができ、ひとつの糸立て装置が糸駒からの糸の弛み防止及びずり落ち防止と、設置スペースの狭小化及び安全性に即応できるミシンの糸立て装置を提供することを目的とする。
【課題を解決するための手段】
【０００６】
本発明は、請求項１に記載のように、その発明の内容を理解し易くするために図１〜図７に示した符号を参照して説明すると、支柱（５）と、支柱（５）に取り付けられ、複数本の糸立て棒（６）を垂直に立設した糸立て台板（７）とを備えたミシンの糸立て装置において、糸立て台板（７）を水平姿勢と傾斜姿勢とに切換え可能な姿勢切換え機構（８）を備えていることに特徴を有するものである。
このように構成されたミシンの糸立て装置によれば、糸立て棒（６）に装着する糸駒から糸がばらけて弛んだり、ずり落ちたりするときは姿勢切換え機構（８）により糸立て台板（７）を傾斜姿勢に切換えて糸立て棒（６）を傾斜させることができ、これにより糸駒から糸がばらけて弛んだり、ずり落ちるのを防止できる。糸立て棒（６）に装着する糸駒から糸がばらけて弛むおそれがない場合や設置スペースの狭小化を図りたい場合には姿勢切換え機構（８）により糸立て台板（７）を水平姿勢に切換えて糸立て棒（６）を垂直にすることができ、これにより設置スペースの広大化等の問題を解決できる。
【０００７】
請求項１記載のミシンの糸立て装置は、請求項２に記載のように、姿勢切換え機構（８）が、糸立て台板（７）を前記支柱に対し支軸（１２）回りに回動可能に支持した回動支持手段（１３）と、糸立て台板（７）を所定の回動角度にロックおよびアンロック可能な固定・解除手段（１４）とを備えた構成を採用することができる。この構成によると、固定・解除手段（１４）による糸立て台板（７）のアンロック操作と、回動支持手段（１３）による糸立て台板（７）の支軸（１２）回りの回動操作により糸立て台板（７）を水平姿勢又は傾斜姿勢に簡単に切換えることができる。
【０００８】
請求項２記載のミシンの糸立て装置は、請求項３に記載のように、回動支持手段（１３）が糸立て台板（７）に取り付けられた支軸（１２）と、支柱（５）に固定され支軸（１２）を回動可能に支持したブラケット（１８）とを備え、該ブラケット（１８）には水平姿勢保持用の第１ねじ孔（１９）及び傾斜姿勢保持用の第２ねじ孔（２０）を設けており、固定・解除手段（１４）が支軸（１２）に固定され水平姿勢保持用の第１セット孔（２４）及び傾斜姿勢保持用の第２セット孔（２５）を有する回転止め具（２６）と、互いに合致する第１ねじ孔（１９）と第１セット孔（２４）に、又は第２ねじ孔（２０）と第２セット孔（２５）に挿通して締め付けられるセットボルト（２７）とを備えた構成を採用することができる。この構成によれば、ブラケット（１８）の第１ねじ孔（１９）と第１セット孔（２４）、またはブラケット（１８）の第２ねじ孔（２０）と第２セット孔（２５）に対するセットボルト（２７）の脱着操作と、糸立て台板（７）の支軸（１２）回りの回動操作によって糸立て台板（７）を水平姿勢又は傾斜姿勢に簡単かつ確実に切換えることができる。
【０００９】
請求項１ないし３のいずれか１項に記載のミシンの糸立て装置は、請求項４に記載のように、糸立て台板（７）は透明な材料で形成した構成を採用することができる。この構成によると、糸立て棒（６）に装着される糸駒の糸残量を糸立て台板（７）の底側から視認し易くなる。
【発明の効果】
【００１０】
本発明によれば、糸駒から糸がばらけて弛んだり、設置スペースが広大になったりする事態に即応して糸立て棒を簡単に垂直または傾斜姿勢に切換えることができるという効果を奏する。
【発明を実施するための最良の形態】
【００１１】
以下、本発明に係るミシンの糸立て装置の好適な実施例を図面に基づき説明する。図１は本発明の一実施例のミシンの糸立て装置を糸立て台板を水平姿勢にした状態で示す斜視図、図２は図１の糸立て装置の側面図、図３は図１の糸立て装置の姿勢切換え機構の斜視図、図４は本発明の一実施例のミシンの糸立て装置を糸立て台板を傾斜姿勢にした状態で示す斜視図、図５は図４の糸立て装置の側面図、図６は図４の糸立て装置の姿勢切換え機構の斜視図、図７は図４の糸立て装置の姿勢切換え機構の分解斜視図である。
【００１２】
図１、図４において、１はミシン、２は本発明に係る糸立て装置、３は複数個の糸調子ダイヤル３ａを並べてなる糸調子機構である。糸立て装置２は、ミシン１のテーブル４に立設した左右の支柱５と、左右の支柱５に取り付けられ、複数本の糸立て棒６を垂直に立設した糸立て台板７と、糸立て台板７を支柱５に対し直角な水平姿勢（図１〜図３参照）と支柱５に対し或る傾斜角で傾斜する傾斜姿勢（図４〜図６参照）とに切換え可能な姿勢切換え機構８とを備えている。糸立て棒６には糸駒９が挿通して装着される。糸立て棒６の上方には案内孔１０ａを有する糸道プレート１０が配置され、糸道プレート１０は糸立て台板７の両側に立設した糸道取付ブラケット１１により支持されている。
【００１３】
姿勢切換え機構８は、図７に示すように、糸立て台板７を左右の支柱５に対し支軸１２回りに回動可能に支持した回動支持手段１３と、糸立て台板７を所定の回動角度にロックおよびアンロック可能な固定・解除手段１４とを備える。
【００１４】
図７に示すように、回動支持手段１３は糸立て台板７の底側に左右の支軸受具１５で取り付けられたパイプ材からなる支軸１２と、各基端が左右の各支柱５にボルト１６（図３参照）で固定され各先端の軸孔１７に支軸１２を回動可能に挿通支持した左右のブラケット１８とを備える。ブラケット１８の先端側の軸孔１７より下部には水平姿勢保持用の第１ねじ孔１９及び傾斜姿勢保持用の第２ねじ孔２０を設けている。一方、固定・解除手段１４は左右の回転止め具２６と左右のセットボルト２７からなる。回転止め具２６は、一端の拡縮径自在な軸孔２１を支軸１２の前記軸孔１７より突出する端部に挿通してボルト２２・ナット２３で固定され、他端に水平姿勢保持用のセット孔２４及び傾斜姿勢保持用の第２セット孔２５を有する。セットボルト２７は、互いに合致する第１ねじ孔１９と第１セット孔２４に、または第２ねじ孔２０と第２セット孔２５に挿通される。セットボルト２７にはこれを摘み易くするためのノブ２７ａを付けている。支軸１２の軸孔１７より突出する端部にはキャップ１２ａが嵌合される。
【００１５】
しかるときは、図１〜図３のように、糸立て棒６を垂直にして使用するときは、糸立て台板７を支軸１２回りに回動させて水平姿勢にして水平姿勢保持用の第１ねじ孔１９と水平姿勢保持用の第１セット孔２４とを合致させ、これら孔１９・２４にセットボルト２７を挿通して締め付けることにより糸立て台板７が水平姿勢状態に保持され、糸立て棒６を垂直姿勢にすることができる。このように糸立て台板７を支軸１２回りに回動させて水平姿勢にしたうえでブラケット１８の第１ねじ孔１９と第１セット孔２４にセットボルト２７を挿通して締め付けるという簡単な操作で糸立て台板７を水平姿勢に簡単かつ確実に切換えることができる。
【００１６】
糸駒９から糸がばらけて弛んだり、ずり落ちたりする場合は、図４〜図６のように、糸立て棒６を傾斜させて使用するが、このときはセットボルト２７を第１ねじ孔１９及び第１セット孔２４から抜き出し、糸立て台板７を図２の水平姿勢より支軸１２回りに矢印Ａ方向に所定角度（例えば、７０°）だけ回動させて傾斜姿勢にして傾斜姿勢保持用の第２ねじ孔２０と傾斜姿勢保持用の第２セット孔２５とを合致させ、これら孔２０・２５にセットボルト２７を挿通して締め付けることにより糸立て台板７が傾斜姿勢状態に保持され、糸立て棒６を傾斜姿勢にすることができる。このように糸立て台板７を支軸１２回りに回動させて傾斜姿勢にしたうえでブラケット１８の第２ねじ孔２０と第２セット孔２５にセットボルト２７を挿通して締め付けるという簡単な操作で糸立て台板７を傾斜姿勢に簡単かつ確実に切換えることができる。
使用後は、前述の要領で糸立て台板７を水平姿勢にして糸立て棒６を垂直にする姿勢切換えを行うことにより設置スペースの狭小化を図ることができる。
【００１７】
糸立て装置２の糸立て台板７は図示例では前後二分割された台板本体７ａと、前後の台板本体７ａ，７ａ同士をその裏面側で継ぎ合わせた継合板７ｂからなり、これら台板本体７ａ及び継合板７ｂはアクリル、ポリカーボネート等の透明材料で形成して糸駒９の糸残量を糸立て台板７の底側からも視認し易くしている。糸立て台板７は台板本体７ａと継合板７ｂにて構成するに代えて、透明な一枚板で構成することもできる。
糸立て装置２は図１や図４に示すようにミシン１のテーブル４上の左右一側方に設置する以外に、ミシン１の背後に設置することもある。糸立て装置２をミシン１の背後に設置したときにも、糸立て台板７を透明材料で形成しておくと、ミシン１の正面側に居る作業者は糸駒９の糸残量を容易に視認することができる。
【００１８】
図１、図４のように、糸立て装置２として糸立て台板７を上下二段に設置する場合、糸立て台板７を上下段共に姿勢切換え可能にするに代えて、上段の糸立て台板７のみ又は下段の糸立て台板７のみを姿勢切換え可能にすることもできる。
【図面の簡単な説明】
【００１９】
【図１】本発明の一実施例のミシンの糸立て装置を糸立て台板を水平姿勢にした状態で示す斜視図である。
【図２】図１の糸立て装置の側面図である。
【図３】図１の糸立て装置の姿勢切換え機構の斜視図である。
【図４】本発明の一実施例のミシンの糸立て装置を糸立て台板を傾斜姿勢にした状態で示す斜視図である。
【図５】図４の糸立て装置の側面図である。
【図６】図４の糸立て装置の姿勢切換え機構の斜視図である。
【図７】図４の糸立て装置の姿勢切換え機構の分解斜視図である。
【図８】従来例のミシンの糸立て装置の側面図である。
【図９】他の従来例のミシンの糸立て装置の平面図である。
【図１０】図９の糸立て装置の側面図である。
【符号の説明】
【００２０】
１  ミシン
２  糸立て装置
５  支柱
６  糸立て棒
７  糸立て台板
８  姿勢切換え機構
１２  支軸
１３  回動支持手段
１４  固定・解除手段
１８  ブラケット
１９  第１ねじ孔
２０  第２ねじ孔
２４  第１セット孔
２５  第２セット孔
２６  回転止め具
２７  セットボルト
【図１】
2008295484.tif 000003
【図２】
2008295484.tif 000004
【図３】
2008295484.tif 000005
【図４】
2008295484.tif 000006
【図５】
2008295484.tif 000007
【図６】
2008295484.tif 000008
【図７】
2008295484.tif 000009
【図８】
2008295484.tif 000010
【図９】
2008295484.tif 000011
【図１０】
2008295484.tif 000012